(57)【要約】【課題】タイマー充電が行われる２次電池に対して、所定の頻度で分極解消後の開放回路電圧（ＯＣＶ）を計測して満充電容量を算出することができるよう、充電開始日時を制御する充電開始制御方法及び充電装置を提供する。【解決手段】ユーザーが設定する充電終了希望日時より、２次電池の充電に要する要充電時間と充電終了後の分極解消の待ち時間との合計分の時間の前の日時を、充電開始日時として設定するステップＳ８と、充電開始日時の到来時に、２次電池の充電を開始させるステップＳ９と、要充電時間の経過後に２次電池の充電を終了させるステップＳ１０と、分極解消待ち時間経過後、２次電池の開放回路電圧を計測して満充電容量算出するステップＳ１１を含む。ステップＳ８〜Ｓ１２の処理は、タイマー充電がＮ回行われる毎に１回の頻度で行われる。【選択図】図１
2014241656.tif 000002
【特許請求の範囲】
【請求項１】
設定された日時に２次電池の充電が終了するよう、該２次電池の充電を開始させる２次電池の充電装置であって、
前記設定された日時より、前記２次電池の充電に要する要充電時間と充電終了後の分極解消の待ち時間との合計分の時間の前の日時を、充電開始日時として設定し、前記充電開始日時の到来時に、前記２次電池の充電を開始させ、前記要充電時間の経過後に、前記２次電池の充電を終了させる充電開始・終了日時制御部
を備えたことを特徴とする２次電池の充電装置。
【請求項２】
前記２次電池の充電の終了後、前記２次電池の分極が解消した後に、前記２次電池の満充電容量を算出する満充電容量算出部を備えたことを特徴とする請求項１記載の２次電池の充電装置。
【請求項３】
前記満充電容量算出部は、前記２次電池の充電の終了後、前記２次電池の分極解消の待ち時間が経過した後に、前記２次電池の満充電容量を算出することを特徴とする請求項２記載の２次電池の充電装置。
【請求項４】
前記充電開始・終了日時制御部は、前記分極解消の待ち時間の初期値として、分極が解消されるのに要する時間より長めの時間を設定しておき、該分極解消待ち時間の間に、前記２次電池の開放回路電圧の時間当たりの変化率を測定し、該変化率が所定値よりも小さくなるまでの時間を学習させ、該学習させた時間を分極解消待ち時間として更新することを特徴とする請求項１乃至３の何れかに記載の２次電池の充電装置。
【請求項５】
前記設定された日時に２次電池の充電が終了するよう、該２次電池の充電を開始させる充電動作の履歴を記憶する充電履歴記憶部と、
前記充電履歴記憶部に記憶された充電動作の履歴を基に、満充電容量の算出の要否を判定する満充電容量算出の要否判定部と、
をさらに備え、
前記充電開始・終了日時制御部は、前記満充電容量算出の要否判定部による要否の判定が要と判定されたとき、前記設定された日時より、前記２次電池の充電に要する要充電時間と充電終了後の分極解消の待ち時間との合計分の時間の前の日時を、充電開始日時として設定することを特徴とする請求項１乃至４のいずれかに記載の２次電池の充電装置。
【請求項６】
前記充電履歴記憶部は、前記設定された日時に２次電池の充電が終了するよう、該２次電池の充電を開始させる充電動作の回数を記憶し、前記満充電容量算出の要否判定部は、前記充電動作が所定の回数行われる毎に、前記満充電容量の算出の要否の判定を要と判定することを特徴とする請求項５に記載の２次電池の充電装置。
【請求項７】
前記充電開始・終了日時制御部は、充電中表示部に対して、充電中に「充電中」を示す表示を表示器で表示させる共に、充電終了後の分極解消待ちの間にも「充電中」又は「分極解消待ち」を示す表示を表示器で表示させることを特徴とする請求項１記載の２次電池の充電装置。
【請求項８】
設定された日時に２次電池の充電が終了するよう、該２次電池の充電を開始させる２次電池の充電開始制御方法であって、
前記設定された日時より、前記２次電池の充電に要する要充電時間と充電終了後の分極解消の待ち時間との合計分の時間の前の日時を、充電開始日時として設定する充電開始日時設定ステップと、
前記充電開始日時の到来時に、前記２次電池の充電を開始させる充電開始ステップと、
前記要充電時間の経過後に、前記２次電池の充電を終了させる充電終了ステップと、
を含むことを特徴とする２次電池の充電開始制御方法。
【請求項９】
前記２次電池の充電の終了後、前記２次電池の分極が解消した後に、前記２次電池の満充電容量を算出する満充電容量算出ステップを含むことを特徴とする請求項８記載の２次電池の充電開始制御方法。
【請求項１０】
前記満充電容量算出ステップは、前記２次電池の充電の終了後、前記２次電池の分極解消の待ち時間が経過した後に、前記２次電池の満充電容量を算出することを特徴とする請求項９記載の２次電池の充電開始制御方法。
【請求項１１】
前記設定された日時に２次電池の充電が終了するよう、該２次電池の充電を開始させる充電動作の回数を記憶し、該充電動作が所定の回数行われる毎に、前記設定された日時より、前記２次電池の充電に要する要充電時間と充電終了後の分極解消の待ち時間との合計分の時間の前の日時を、充電開始日時として設定する充電開始日時設定ステップを実行させることを特徴とする請求項８乃至１０のいずれかに記載の２次電池の充電開始制御方法。
【発明の詳細な説明】
【技術分野】
【０００１】
本発明は、２次電池の充電開始制御方法及び充電装置に関し、特に、タイマーによる充電開始日時を制御する２次電池の充電開始制御方法及び充電装置に関する。
【背景技術】
【０００２】
フォークリフト等の作業用車両又は電気自動車若しくはハイブリッド自動車等の車両等に用いられるリチウムイオン電池等の２次電池は、所定期間、作業や走行等に使用された後、休止期間中に充電装置に接続され、次の使用に備えるために充電が行われる。２次電池を充電する充電装置にはタイマーを備えたものが有り、ユーザーは、２次電池の次の使用開始時に、該２次電池がユーザーが設定する目標充電率まで充電された状態で使用することができるよう、次の使用開始時に充電が終了しているよう、タイマーに充電終了の希望日時と充電率（ＳＯＣ：State Of Charge；満充電容量に対する残充電容量の比率）を設定して充電する。
【０００３】
タイマーに充電終了の希望日時と充電率が設定された充電装置は、該充電終了の希望日時から、２次電池が目標充電率まで充電されるのに要する要充電時間分を早めた日時に充電開始の日時を設定し、該充電開始の日時が到来した時点で充電を開始する。そして、要充電時間が経過した時点で充電を終了する。
【０００４】
２次電池の要充電時間は、該２次電池の開放回路電圧（ＯＣＶ：Open Circuit Voltage）と充電率（ＳＯＣ）との相関を示すＳＯＣ−ＯＣＶ特性を基に、該２次電池の現在の開放回路電圧（ＯＣＶ）から、該２次電池の現在の現在の充電率（ＳＯＣ）を求め、該充電率（ＳＯＣ）と目標充電率（ＳＯＣ）と満充電容量とから、充電に要する電流積算量を算出し、該電流積算量を充電するのに要する時間を求めることにより算定される。
【０００５】
ユーザーが設定した充電終了希望日時に充電が終了するよう、充電を開始する充電装置は、下記の特許文献１等に記載されている。特許文献１に記載の充電装置は、２次電池の充電開始時に、該２次電池の使用（放電）停止後の、開放回路電圧（ＯＣＶ）の時間当たりの変化率ΔＶ／Δｔが、所定値よりも小さくなり、放電による分極が解消したと判定された後を、充電開始推奨時期として決定して充電を開始するものである。
【先行技術文献】
【特許文献】
【０００６】
【特許文献１】特開２０１２−１６１０９号公報
【発明の概要】
【発明が解決しようとする課題】
【０００７】
充電装置のタイマーに充電終了希望日時を設定して２次電池を充電するタイマー充電は、ユーザーが設定した充電終了希望日時に充電を完了する。車両等を使用するユーザーによってタイマー充電が行われる２次電池は、タイマーに設定された充電終了希望日時になると、その後、直ちに、即ち充電終了の直後から、車両の走行等に使用されることが多い。
【０００８】
図４は２次電池の充電開始から充電終了後の電圧の変化の様態を示している。図４の（ａ）は、タイマー充電の充電終了後、すぐに２次電池が使用されたときの電圧の様態の一例を示している。図４の（ａ）に示すように、日時ｔ２が充電終了希望日時として設定されると、充電装置は、充電終了希望日時ｔ２から、該２次電池が充電されるのに要する時間Ｔ１分早めた日時ｔ１を算定し、該日時ｔ１を充電開始日時として設定する。そして、充電開始日時ｔ１が到来した時点で充電を開始させる。なお、現在の日時が、前述の算定した日時ｔ１を既に過ぎている場合は、現在の日時を充電開始日時ｔ１として設定し、直ちに充電を開始させる。
【０００９】
タイマーによる充電が開始された２次電池は、充電が終了する日時ｔ２まで電圧が上昇し、充電終了日時ｔ２以降、充電による分極が解消するにつれて、電圧が降下する。しかし、充電終了後、分極が十分に解消されるまで待つことなく、日時ｔ３でユーザーの車両の走行等に該２次電池の使用が開始される場合が多い。
【００１０】
車両の走行等に該２次電池が使用されると、該２次電池から車両等の負荷側に放電電流が流れ、また、車両等の負荷側から該２次電池に回生電流が流れ、図４（ａ）に示すように、該２次電池の電圧は降下、上昇を繰り返す。
【００１１】
車両の走行等に使用される２次電池は、充電量を正確に把握することが求められる。充電量を正確に把握するには、２次電池の満充電容量をより正確に算出することが求められる。また、２次電池は、充電を行うことにより繰り返し使用されるが、充放電の繰り返しと共に性能が劣化し、満充電容量が次第に減少する。そのため、劣化の程度を把握するためにも、定期的に満充電容量を算出することが必要である。
【００１２】
満充電容量の算出には、２次電池の正確な開放回路電圧（ＯＣＶ）を計測する必要がある。図４の（ｂ）は、充電終了後の２次電池の開放回路電圧（ＯＣＶ）の様態を示す。図４の（ｂ）に示すように、日時ｔ１で充電が開始された２次電池は、充電が終了する日時ｔ２まで電圧が上昇し、充電終了日時ｔ２以降、充電による分極が解消するにつれて開放回路電圧（ＯＣＶ）は降下する。
【００１３】
満充電容量の算出に用いる開放回路電圧（ＯＣＶ）は、分極が十分に解消した後の開放回路電圧（ＯＣＶ）でなければならず、充電終了日時ｔ２から分極解消待ち時間Ｔ２が経過した日時ｔ４にならなければ、正確な開放回路電圧（ＯＣＶ）を計測することができない。
【００１４】
しかし、常にタイマー充電を実施するユーザーの車両等に使用される２次電池は、充電終了日時ｔ２の後、分極解消待ち時間Ｔ２が経過する前に、車両等の走行に使用開始される可能性が高いため、正確な開放回路電圧（ＯＣＶ）を計測することができず、満充電容量の算出を長期間実施することができないという問題が生じる。
【００１５】
上記課題に鑑み、本発明は、タイマー充電が日常的に行われる２次電池に対して、分極解消後の開放回路電圧（ＯＣＶ）を計測して満充電容量を算出することができるよう、２次電池の充電開始日時を制御する充電開始制御方法及び充電装置を提供する。
【課題を解決するための手段】
【００１６】
本発明に係る２次電池の充電装置は、設定された日時に２次電池の充電が終了するよう、該２次電池の充電を開始させる２次電池の充電開始制御装置であって、前記設定された日時より、前記２次電池の充電に要する要充電時間と充電終了後の分極解消の待ち時間との合計分の時間の前の日時を、充電開始日時として設定し、前記充電開始日時の到来時に、前記２次電池の充電を開始させ、前記要充電時間の経過後に、前記２次電池の充電を終了させる充電開始・終了日時制御部をそなえたものである。
【００１７】
また、本発明に係る２次電池の充電開始制御方法は、設定された日時に２次電池の充電が終了するよう、該２次電池の充電を開始させる２次電池の充電開始制御方法であって、前記設定された日時より、前記２次電池の充電に要する要充電時間と充電終了後の分極解消の待ち時間との合計分の時間の前の日時を、充電開始日時として設定する充電開始日時設定ステップと、前記充電開始日時の到来時に、前記２次電池の充電を開始させる充電開始ステップと、前記要充電時間の経過後に、前記２次電池の充電を終了させる充電終了ステップと、を含むものである。
【発明の効果】
【００１８】
本発明によれば、タイマー充電が日常的に行われる２次電池に対して、少なくとも所定の頻度で、分極解消後の開放回路電圧（ＯＣＶ）を計測して満充電容量を算出することができる。満充電容量の算出の頻度を増加させることができるので、２次電池の充電率（ＳＯＣ）の推定精度を向上させることができ、２次電池の充放電の管理を精度良く行うことが可能となる。
【図面の簡単な説明】
【００１９】
【図１】本発明による２次電池の充電開始日時を制御する処理のフローの一例を示す図である。
【図２】本発明による２次電池の充電装置の機能ブロック構成の一例を示す図である。
【図３】本発明による２次電池の充電終了後の電圧の変化の様態を示す図である。
【図４】２次電池の充電開始から充電終了後の電圧の変化の様態を示す図である。
【発明を実施するための形態】
【００２０】
図１は本発明による２次電池の充電開始日時を制御する処理のフローの一例を示す。図１に示すように、本発明による２次電池の充電装置は、タイマーに充電終了希望日時が設定されたか否かを判定する（ステップＳ１）。ステップＳ１で、目標充電率が設定されたか否かを判定しても良い。目標充電率が設定された場合、現在の充電率と、目標充電率と、満充電容量とから充電に要する要充電時間が算出される。なお、目標充電率はユーザーに設定された値でなく、予め決められた値（例えば、満充電）でも良い。
【００２１】
タイマーに充電終了希望日時が設定された場合（ステップＳ１でＹｅｓ）、該充電装置内の記憶部に記憶された過去の充電履歴情報を取得する（ステップＳ２）。過去の充電履歴情報として、一例として、過去に実施されたタイマー充電による充電回数ｎを取得するものとする。
【００２２】
充電装置は、該充電回数ｎと予め定められた所定回数Ｎとを比較し、該充電回数ｎが該所定回数Ｎ未満か否かを判定する（ステップＳ３）。該充電回数ｎが該所定回数Ｎ未満の場合（ステップＳ３でＹｅｓ）、過去の充電回数ｎに１を加算し（ステップＳ４）、充電終了希望日時から充電に要する要充電時間分早めた日時を充電開始日時に設定する（ステップＳ５）。なお、充電終了希望日時から充電に要する要充電時間分早めた日時を、現在の日時が既に経過しているときは、現在の日時を充電開始日時に設定する。
【００２３】
そして、充電装置は、自装置に内蔵した現在日時を表す時計を基に、現在日時が充電開始日時になったとき、充電を開始する（ステップＳ６）。その後、充電装置は、要充電時間が経過した時に充電を終了する（ステップＳ７）。このように、過去の充電回数ｎが所定回数Ｎ未満のときは、通常のタイマー充電を行う。
【００２４】
一方、前述のステップＳ３の判定において、充電回数ｎが所定回数Ｎに達した場合（ステップＳ３でＮｏ）、充電装置は、充電終了希望日時から要充電時間と分極解消待ち時間との合計分を早めた日時を充電開始日時に設定する（ステップＳ８）。なお、充電終了希望日時から要充電時間分と分極解消待ち時間との合計分を早めた日時を、現在の日時が既に経過しているときは、現在の日時を充電開始日時に設定する。
【００２５】
そして、充電装置は、自装置に内蔵した現在日時を表す時計を基に、現在日時が充電開始日時になったとき、充電を開始する（ステップＳ９）。その後、充電装置は、要充電時間が経過した時に充電を終了する（ステップＳ１０）。このように、過去の充電回数ｎが所定回数Ｎに達したときは、通常のタイマー充電の開始日時から分極解消待ち時間分を早めた日時を充電開始日時に設定する。そのため、タイマー充電がＮ回行われる毎に１回の割合で、分極解消待ち時間分を早めた日時が充電開始日時に設定される。
【００２６】
分極解消待ち時間分を早めた日時が充電開始日時に設定されると、２次電池の充電終了後、ユーザーが該２次電池を車両等の走行に使用する前に、該２次電池の分極が十分解消する。そこで、以下のように、分極解消後の開放回路電圧（ＯＣＶ）を計測し、該開放回路電圧（ＯＣＶ）を用いて満充電容量の算出を行う。
【００２７】
分極解消後の開放回路電圧（ＯＣＶ）は、２次電池の充電終了後の開放回路電圧（ＯＣＶ）の時間当たりの変化率ΔＶ／Δｔが、所定値よりも小さくなったことを判定することにより分極が十分解消したと判定し、該分極解消後の開放回路電圧（ＯＣＶ）を計測することにより取得することができる。なお、分極解消待ち時間を十分長く設定し、該分極解消待ち時間の経過により、分極が解消したとみなし、上述の変化率ΔＶ／Δｔ等を算出することなく、分極解消後の開放回路電圧（ＯＣＶ）を計測して取得しても良い。
【００２８】
満充電容量は、ＳＯＣ−ＯＣＶ特性を参照して、充電開始前の開放回路電圧（ＯＣＶ）から得られる充電開始前の充電率ＳＯＣ１と、充電終了後の開放回路電圧（ＯＣＶ）から得られる充電終了後の充電率ＳＯＣ２とを求め、充電により流れた電流積算量ΣＩを求め、以下の式１により算出される。
満充電容量＝｛ΣＩ÷（ＳＯＣ２−ＳＯＣ１）｝×１００  ・・・（式１）
充電装置は、充電前及び充電後の分極解消後の開放回路電圧（ＯＣＶ）が取得され、満充電容量を算出する条件が満たされたと判定したとき、上記の式１により、２次電池の満充電容量を算出する（ステップＳ１１）。該満充電容量の算出が完遂すると、充電装置は、前述の過去の充電回数ｎを０に設定する（ステップＳ１２）。
【００２９】
なお、上述のステップＳ１１における満充電容量の算出は、充電される２次電池側に備えられた電池監視電子制御ユニットで行ってもよい。該２次電池側に備えられた電池監視電子制御ユニットが、充電終了後も給電され、アクティブな状態となっている場合には、上述の手法と同様の手法により、充電前及び充電後の分極解消後の開放回路電圧（ＯＣＶ）を計測し、充電前の充電率ＳＯＣ１、充電後の充電率ＳＯＣ２、及び充電の電流積算量ΣＩから、前述の式１により満充電容量が算出される。
【００３０】
また、２次電池側に備えられた電池監視電子制御ユニットが、充電終了後に給電が断たれ、停止状態となる場合には、充電開始時の分極解消後の開放回路電圧（ＯＣＶ）と充電の電流積算量ΣＩとを電池監視電子制御ユニットで記憶しておき、分極解消待ち時間後に車両等の使用開始時に該電池監視電子制御ユニットが起動されたとき、該起動時に充電終了時の分極解消後の開放回路電圧（ＯＣＶ）を計測し、前述の式１により満充電容量を算出することができる。なお、満充電容量を２次電池側に備えられた電池監視電子制御ユニットで算出する場合、充電装置における前述のステップＳ１１の処理は省いても良い。
【００３１】
前述の分極解消待ち時間は、初期値として、分極が解消されるのに要する時間より長めの時間を設定しておき、該分極解消待ち時間分、充電開始日時を早める制御を行ったとき、該分極解消待ち時間の間に、開放回路電圧（ＯＣＶ）の時間当たりの変化率ΔＶ／Δｔを測定し、該変化率ΔＶ／Δｔが所定値よりも小さくなるまでの時間を学習させ、該学習させた時間を分極解消待ち時間として更新するようにしてもよい。
【００３２】
図２は、本発明による２次電池の充電装置の機能ブロック構成の一例を示す。本発明による充電装置１００は、制御部１０、充電部２０及び充電中表示部３０を備え、制御部１０は、充電終了希望日時設定部１１、充電履歴記憶部１２、満充電容量算出の要否判定部１３、充電開始・終了日時制御部１４、及び満充電容量算出部１５を備える。
【００３３】
充電終了希望日時設定部１１は、タイマー充電を行うユーザーにより設定された充電終了の希望日時を格納する。充電終了希望日時設定部１１は、さらに目標充電率が設定されるようにしても良い。目標充電率が設定された場合、充電終了希望日時設定部１１は、現在の充電率と、目標充電率と、満充電容量とから充電に要する要充電時間を算出する。なお、目標充電率はユーザーに設定された値でなく、予め決められた値（例えば、満充電）としても良い。
【００３４】
さらに、充電終了希望日時設定部１１には、前述の分極解消待ち時間の間に、２次電池の開放回路電圧（ＯＣＶ）の時間当たりの変化率ΔＶ／Δｔを測定し、該変化率ΔＶ／Δｔが所定値よりも小さくなるまでの時間を学習させ、該学習させた時間を分極解消待ち時間として更新する構成を備えるようにしてもよい。
【００３５】
充電履歴記憶部１２は、過去の充電履歴情報（例えば、過去に実施されたタイマー充電による充電回数ｎ等）を記憶する。満充電容量算出の要否判定部１３は、過去の充電履歴情報を参照し、長期間、満充電容量が算出されていないと判定された場合に、満充電容量の算出が必要であると判定する。
【００３６】
過去の充電履歴情報として、過去に実施されたタイマー充電による充電回数ｎが記憶されている場合、満充電容量算出の要否判定部１３は、該充電回数ｎを予め定められた所定回数Ｎと比較し、該充電回数ｎが該所定回数Ｎ未満か否かを判定する。
【００３７】
該充電回数ｎが該所定回数Ｎ未満の場合、充電履歴記憶部１２に記憶された過去の充電回数ｎに１を加算する。充電回数ｎが所定回数Ｎに達した場合、満充電容量算出の要否判定部１３は、充電開始・終了日時制御部１４に対して、満充電容量算出を要する旨を通知する。
【００３８】
なお、満充電容量算出の要否判定部１３は、満充電容量算出の要否の判定を、過去のタイマー充電の回数に拠らず、過去に満充電容量算出を行った日時と、現在の日時とを比較し、過去に満充電容量算出を行った日時から現在の日時までの期間が、所定の期間以上のとき、満充電容量算出を要すると判定する構成としても良い。
【００３９】
充電開始・終了日時制御部１４は、満充電容量算出を要する旨が通知されると、充電終了希望日時設定部１１に格納された充電終了希望日時から、充電に要する要充電時間と分極解消待ち時間との合計時間分を早めた日時を充電開始日時に設定する。該要充電時間と分極解消待ち時間との合計分を早めた日時を、現在の日時が既に経過しているときは、現在の日時を充電開始日時に設定する。
【００４０】
そして、充電開始・終了日時制御部１４は、制御部１０に内蔵された現在日時を表す時計を基に、現在日時が充電開始日時になったとき、充電部２０に対して２次電池２００の充電を開始させる。その後、充電開始・終了日時制御部１４は、要充電時間が経過した時に充電部２０に対して充電を終了させる。
【００４１】
満充電容量算出を要する旨は、満充電容量算出部１５にも通知され、満充電容量算出部１５は、充電開始前の開放回路電圧（ＯＣＶ）及び充電の電流積算量ΣＩを計測する。また、満充電容量算出部１５は、分極解消待ち時間後に、分極が解消し、満充電容量を算出する条件が満たされたことと確認し、分極解消後の開放回路電圧（ＯＣＶ）を計測し、満充電容量の算出を行う。満充電容量算出部１５は、満充電容量の算定を完遂すると、充電履歴記憶部１２に対して、過去の充電回数ｎを０に設定させる。
【００４２】
満充電容量算出部１５は、分極が解消したことを、２次電池の開放回路電圧（ＯＣＶ）の時間当たりの変化率ΔＶ／Δｔが、所定値よりも小さくなったことを判定して確認する構成とすることができる。或いは、充電開始・終了日時制御部１４で設定された充電開始日時が、充電に要する要充電時間と分極解消待ち時間との合計分を早めた日時であるときは、分極が解消されるとみなし、満充電容量を算出する条件が満たされたと判定し、該要充電時間と分極解消待ち時間との合計分を早めた日時を、現在の日時が経過し、現在の日時が充電開始日時に設定されたときは、分極が解消されないとみなし、満充電容量を算出する条件が満たされないと判定する構成としても良い。
【００４３】
また、分極解消を判定する機能を有する満充電容量算出部１５は、分極解消に要した時間を充電開始・終了日時制御部１４に通知し、充電開始・終了日時制御部１４は、該通知された時間を、分極解消待ち時間として更新する構成としても良い。
【００４４】
また、充電開始・終了日時制御部１４は、充電中表示部３０に対して、充電中に「充電中」を示す表示を表示器で表示させる共に、充電終了後の分極解消待ちの間にも「充電中」又は「分極解消待ち」を示す表示を表示器で表示させる。
【００４５】
図３は、本発明による２次電池の充電終了後の電圧の変化の様態を示している。図３の（ａ）は、満充電量算出を行わないときの様態を示している。日時ｔ２が充電終了希望日時として設定されると、充電装置は、充電終了希望日時ｔ２から、２次電池が充電されるのに要する要充電時間Ｔ１分早めた日時ｔ１を、充電開始日時として設定し、充電開始日時ｔ１が到来した時点で充電を開始する。
【００４６】
充電開始日時ｔ１が到来し、充電が開始された２次電池は、要充電時間Ｔ１が経過した充電終了日時ｔ２まで電圧が上昇し、充電終了日時ｔ２で充電を終了する。充電終了日時ｔ２は、ユーザーが充電終了を希望した日時であり、該充電終了日時ｔ２までに２次電池は充電され、その後、ユーザーによって直ちに使用可能となる。
【００４７】
図３の（ｂ）は、満充電量算出を要するときの様態を示している。満充電量算出を要するときは、分極解消待ち時間分、充電開始日時を早めるよう制御される。図３の（ｂ）に示すように、充電終了希望日時として設定された日時ｔ２に対して、該日時ｔ２から分極解消待ち時間Ｔ２と要充電時間Ｔ１との合計分早めた日時ｔ１０を充電開始日時として設定し、該日時ｔ１０の到来時に充電を開始させる。
【００４８】
そして、充電開始日時ｔ１０から要充電時間Ｔ１が経過した日時ｔ１１に充電を終了させる。その結果、充電終了日時ｔ１１から充電終了希望日時ｔ２までの間に分極解消待ち時間Ｔ２が確保され、分極解消後の開放回路電圧（ＯＣＶ）を計測することができ、正確な満充電容量を算出することが可能となる。
【００４９】
分極解消待ち時間Ｔ２の経過後、直ちに開放回路電圧（ＯＣＶ）が計測され、満充電容量が算出される。従って、充電終了希望日時ｔ２より後の日時ｔ３以降に２次電池が使用され、２次電池の電圧が大きく変動しても、既に満充電容量の算出を完了しているため、満充電容量の算出に何ら支障がない。
【００５０】
なお、充電開始日時ｔ１から充電終了希望日時ｔ２までの間に、要充電時間Ｔ１及び分極解消待ち時間Ｔ２を確保することができないときは、分極が解消せず、満充電容量の算出を行う条件が整わないと判定して、次のタイマー充電の機会に、満充電容量の算出の条件が整ったときに満充電容量の算出を行うこととする。
【００５１】
以上、本発明の実施の形態について説明したが、本発明は、以上に述べた実施の形態に限定されるものではなく、本発明の要旨を逸脱しない範囲内で種々の構成又は実施形態を取ることができる。
【符号の説明】
【００５２】
１００    充電装置
１０      制御部
１１      終了希望日時設定部
１２      充電履歴記憶部
１３      満充電容量算出の要否判定部
１４      充電開始・終了日時制御部
１５      満充電容量算出部
２０      充電部
３０      充電中表示部
２００    ２次電池
【図１】
2014241656.tif 000003
【図２】
2014241656.tif 000004
【図３】
2014241656.tif 000005
【図４】
2014241656.tif 000006